(57)【要約】【課題】バックガードの前面に水栓装置および機能水吐出装置が設けられたとしても、複数人が同時に使用することができるとともに、使い勝手のよい洗面化粧台を提供することを目的とする。【解決手段】排水口が設けられたボウル部と、前記ボウル部に設けられ前記ボウル部の縁部よりも高い位置まで延びたバックガードと、前記バックガードの前面に設けられ、前記ボウル部に水道水を吐出する第１吐水部を有する水栓装置と、前記バックガードの前面に設けられ、除菌作用を有する機能水を吐出する第２吐水部を有する機能水吐出装置と、を備え、前記第１吐水部から水道水が吐出されている状態で前記第２吐水部から機能水を吐出すること、および前記第２吐水部から機能水が吐出されている状態で前記第１吐水部から水道水を吐出すること、が可能であり、前記第２吐水部は、正面からみた左右方向において、前記第１吐水部からずれた位置に配置されている。【選択図】図５
2017127379.tif 000002
【特許請求の範囲】
【請求項１】
排水口が設けられたボウル部と、
前記ボウル部に設けられ前記ボウル部の縁部よりも高い位置まで延びたバックガードと、
前記バックガードの前面に設けられ、前記ボウル部に水道水を吐出する第１吐水部を有する水栓装置と、
前記バックガードの前面に設けられ、除菌作用を有する機能水を吐出する第２吐水部を有する機能水吐出装置と、
を備え、
前記第１吐水部から水道水が吐出されている状態で前記第２吐水部から機能水を吐出すること、および前記第２吐水部から機能水が吐出されている状態で前記第１吐水部から水道水を吐出すること、が可能であり、
前記第２吐水部は、正面からみた左右方向において、前記第１吐水部からずれた位置に配置されていることを特徴とする洗面化粧台。
【請求項２】
前記第２吐水部から吐出される吐水形態は、前記第１吐水部から吐出される吐水形態よりも、前記第２吐水部からの水の吐出角度が大きく、
前記第２吐水部は、鉛直方向において、前記第１吐水部よりも下方に配置されていることを特徴とする請求項１に記載の洗面化粧台。
【発明の詳細な説明】
【技術分野】
【０００１】
本発明の態様は、一般的に、洗面化粧台に関する。
【背景技術】
【０００２】
一般的に、排水口が設けられたボウル部と、ボウル部に水道水を吐出する吐水部を有する水栓装置と、を備えた洗面化粧台が知られている。この洗面化粧台の一つの態様として、ボウル部に背の高いバックガードが設けられた洗面化粧台であって、バックガードの前面に水栓装置が設けられた洗面化粧台が知られている。
背の高いバックガードの前面に水栓装置が設けられていると、ボウル部の周辺に水栓装置を設置する必要がないため、ボウル部を広くすることができる。さらに、水栓装置の機能部をバックガードで隠すことができる。そのため、洗面化粧台のデザインを向上させることができる。また、バックガードの前面が平らであるため、水が跳ねてバックガードの前面に付着した場合であっても、使用者は、バックガードの前面に付着した水を拭き取りやすい。そのため、水垢などの汚れが発生することを抑えることができる。
【０００３】
そして、本願発明者は、このような洗面化粧台に、歯ブラシに繁殖する細菌を除菌する等のために、除菌作用を有する機能水を吐出する機能を付加することを検討している。この除菌作用を有する機能水を吐出する吐水部（除菌吐水部）も、水栓装置と同様にバックガードの前面に設けることが、スッキリとした外観が得られるためには好ましい。例えば、特開平１０−２８７２１号公報の図１〜図５の実施例には、給水栓と、除菌作用を有する機能水を吐出する電解水散布ノズル（除菌吐水部）と、を背の高いバックガードに設けた洗面台が開示されている。ただし特許文献１に記載された洗面台では、電解水はボウル部の表面における菌の繁殖を抑えるために使用されるものである。
【先行技術文献】
【特許文献】
【０００４】
【特許文献１】特開平１０−２８７２１号公報
【発明の概要】
【発明が解決しようとする課題】
【０００５】
この特許文献１に記載された洗面台においては、給水栓と除菌吐水部とが、正面視で上下に重なるように配置されている。ところが、朝の身支度や寝る前の準備等、洗面化粧台を複数人で使用するシーンがある。その場合、特許文献１のように、給水栓と除菌吐水部とを正面視で上下に重なるように配置していると給水栓と除菌吐水部とから同時に吐水して複数人で使用することができないあるいは使用し難い。すなわち、配置が上下に重なった給水栓と除菌吐水部とのそれぞれからの吐水は、互いの吐水領域が近接しているため、使用者の一人が給水栓を使用して水道水で洗顔をしている状態では、他の使用者は歯磨き終了後の歯ブラシを除菌するために除菌吐水部を使用することができない。そのために、給水栓と除菌吐水部とを別々に使用せざるを得ず、待ち時間が必要となり、朝夜の準備に時間がかかるという問題が生ずる。
【０００６】
そこで、本発明は、バックガードの前面に水栓装置および機能水吐出装置が設けられたとしても、複数人が同時に使用することができるとともに、使い勝手のよい洗面化粧台を提供することを目的とする。
【課題を解決するための手段】
【０００７】
第１の発明は、排水口が設けられたボウル部と、前記ボウル部に設けられ前記ボウル部の縁部よりも高い位置まで延びたバックガードと、前記バックガードの前面に設けられ、前記ボウル部に水道水を吐出する第１吐水部を有する水栓装置と、前記バックガードの前面に設けられ、除菌作用を有する機能水を吐出する第２吐水部を有する機能水吐出装置と、を備え、前記第１吐水部から水道水が吐出されている状態で前記第２吐水部から機能水を吐出すること、および前記第２吐水部から機能水が吐出されている状態で前記第１吐水部から水道水を吐出すること、が可能であり、前記第２吐水部は、正面からみた左右方向において、前記第１吐水部からずれた位置に配置されていることを特徴とする洗面化粧台である。
【０００８】
この洗面化粧台によれば、第１吐水部から水道水が吐出されている状態で第２吐水部から機能水を吐出すること、および前記第２吐水部から機能水が吐出されている状態で前記第１吐水部から水道水を吐出すること、が可能であり、第２吐水部は、正面からみた左右方向において、第１吐水部からずれた位置に配置されている。そして、第１吐水部からの吐出される水道水の吐水領域と、第２吐水部から吐出される除菌作用を有する機能水の吐水領域は、実際に使用するボウル部より上方においては重なることがない。これにより、バックガードの前面に水栓装置および機能水吐出装置が設けられたとしても、第１吐水部を使用する使用者と、第２吐水部を使用する使用者とが、同じ領域に手や歯ブラシ等の被対象物を差し伸べることを抑制することができる。そのため、使用者の一人により第１吐水部は使用されているが第２吐水部が使用されていない場合には、他の使用者が第２吐水部を使用することができる。また、使用者の一人により第２吐水部は使用されているが、第１吐水部が使用されていない場合には、他の使用者が第１吐水部を使用することができる。よって、後から水を吐出する使用者は別の使用者の使用が終わるのを待つ必要がない。
したがって、バックガードの前面に水栓装置および機能水吐出装置が設けられたとしても、複数人が同時に使用することができるとともに、使い勝手をよくすることができる。
【０００９】
第２の発明は、第１の発明において、前記第２吐水部から吐出される吐水形態は、前記第１吐水部から吐出される吐水形態よりも、前記第２吐水部からの水の吐出角度が大きく、前記第２吐水部は、鉛直方向において、前記第１吐水部よりも下方に配置されていることを特徴とする洗面化粧台である。
【００１０】
この洗面化粧台によれば、第２吐水部は、鉛直方向において、第１吐水部よりも下方に配置されている。これにより、第２吐水部からの吐水によって機能水を広範囲に吐水することができるとともに、第１吐水部と第２吐水部とを同時に使用する際に、第２吐水部から広範囲に吐水された機能水が第１吐水部を使用する使用者に意図せずかかってしまうことを防止することができる。
【発明の効果】
【００１１】
本発明の洗面化粧台によれば、バックガードの前面に水栓装置および機能水吐出装置が設けられたとしても、複数人が同時に使用することができるとともに、使い勝手をよくすることができる。
【図面の簡単な説明】
【００１２】
【図１】本発明の実施の形態にかかる洗面化粧台を表す模式的斜視図である。
【図２】本実施形態にかかる洗面化粧台の要部構成を表すブロック図である。
【図３】本実施形態の機能水吐出装置の具体例を例示する模式的斜視図である。
【図４】本実施形態の機能水生成部の具体例を表す模式的断面図である。
【図５】本実施形態のボウル部を上から眺めた模式的平面図である。
【図６】図５に表した切断面Ｃ８−Ｃ８における模式的断面図である。
【図７】図５に表した切断面Ｃ９−Ｃ９における模式的断面図である。
【発明を実施するための形態】
【００１３】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の機能水吐出装置の具体例を例示する模式的斜視図である。  
図４は、本実施形態の機能水生成部の具体例を表す模式的断面図である。
【００１４】
本実施形態にかかる洗面化粧台１００は、ボウル部１１１と、水栓装置１２０と、第１操作部１２５と、機能水吐出装置１３０と、第２操作部と、バックガード１８０と、を備える。図１に表したように、ボウル部１１１は、例えばキャビネット１９２の上に設けられている。ボウル部１１１の上には、化粧鏡１９１が設けられていてもよい。なお、ボウル部１１１の周囲に配置される部材は、キャビネット１９２および化粧鏡１９１だけには限定されない。
【００１５】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００１６】
ボウル部１１１は、排水口１１３を有する（例えば、図５参照）。ボウル部１１１の後側（奥側）の部分には、バックガード１８０が設けられている。バックガード１８０は、ボウル部１１１の縁部１１９よりも高い位置まで延びている。バックガード１８０は、水栓装置１２０や機能水吐出装置１３０などの機能部を隠すことができ、洗面化粧台１００のデザインを向上させることができる。
【００１７】
図１に表したように、水栓装置１２０は、バックガード１８０の前面１８１に設けられている。図２に表したように、水栓装置１２０は、第１吐水部１２１を有する。第１吐水部１２１は、ボウル部１１１に水道水１６７を、泡を含ませた泡沫状に吐出する。この第１吐水部１２１による泡沫状の吐水は、本発明における「第１吐水部から吐出される吐水形態」に相当する。水栓装置１２０は、分岐金具１４２および開閉弁１４４を介して給水源に接続されている。分岐金具１４２は、例えばボウル部１１１の下に設けられている。
【００１８】
第１操作部１２５は、第１吐水部１２１からの吐水を制御するものである。具体的には、第１吐水部１２１からボウル部１１１に水道水１６７を吐出する際に使用者によって手動にて操作されるものである。図１に表したように、第１操作部１２５は、使用者によって把持される把持部１２６を有するレバー式の操作部であり、バックガード１８０の前面１８１に設けられている。開閉弁１４４が開状態となるように使用者が第１操作部１２５の把持部１２６を操作することで、開閉弁１４４が開状態となり、給水源から供給された水道水１６７は、開閉弁１４４を通って第１吐水部１２１からボウル部１１１に吐出される。
なお、本実施形態において、操作レバー１２２および開閉弁１４４は、互いに一体に設けられている。
また、第１操作部１２５の操作方法はレバー式に限定されない。
【００１９】
図１に表したように、機能水吐出装置１３０は、バックガード１８０の前面１８１に設けられている。本実施形態では、機能水吐出装置１３０と第２操作部とが一体的に構成されている。すなわち、機能水吐出装置１３０は第２操作部でもある。図２に表したように、機能水吐出装置１３０は、第２吐水部１３１を有する。第２吐水部１３１は、ボウル部１１に除菌作用を有する機能水１６１を霧状に吐出する。この第２吐水部１３１による霧状の吐水は、本発明における「第２吐水部から吐出される吐水形態」に相当する。すなわち、第２吐水部１３１から吐出される吐水形態は、第１吐水部１２１から吐出される吐水形態よりも、第２吐水部１３１からの水の吐出角度が大きい。機能水吐出装置１３０は、分岐金具１４２、電磁弁１４３、及び機能水生成部１５０を介して給水源１４５に接続されている。電磁弁１４３は、例えばボウル部１１１の下に設けられている。なお、霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。
【００２０】
第２操作部は、第２吐水部１３１からの吐水を制御するものである。具体的には、第２吐水部１３１からボウル部１１１に機能水１６１を吐出する際に使用者によって操作されるものである。図２に表したように、第２操作部は、使用者によって押圧操作される押圧部１３２を有するプッシュ式の操作部である。例えば、使用者が第２操作部の押圧部１３２を押圧操作すると、機能水吐出装置１３０は、除菌作用を有する機能水１６１を霧状に吐出する。なお、機能水吐出装置１３０と第２操作部とが一体的に構成されておらず、別体で構成されていてもよい。言い換えると、機能水吐出装置１３０と第２操作部とをそれぞれ別々に設けてもよい。
【００２１】
機能水生成部１５０は、電磁弁１４３と機能水吐出装置１３０との間に設けられ、除菌作用を有する機能水１６１を生成する。例えば、図４に表したように、機能水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２２】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２３】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２４】
式（３）において発生した塩素は気泡としては存在しにくく、ほとんどの塩素は水に溶解する。そのため、式（３）において発生した塩素については、式（４）に表した反応が生ずる。このようにして、塩素イオンを電気分解することにより次亜塩素酸（ＨＣｌＯ）が生成される。その結果、電解水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００２５】
次亜塩素酸は、除菌成分として機能する。次亜塩素酸を含む液は、例えばボウル部１１１や排水口１１３、排水口１１３の内部１１６、ヘアキャッチャーなどに付着している細菌を除菌することができる。
【００２６】
機能水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、機能水が細菌と反応すると、除菌成分（ＨＣｌＯ）が失われるため、結果として、機能水（除菌水）の濃度が下がる。
【００２７】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、機能水（除菌水）の濃度が下がる。
【００２８】
なお、本実施形態の機能水生成部１５０は、次亜塩素酸を含む液を生成することには限定されない。例えば、機能水生成部１５０において生成される機能水１６１は、オゾンなどを含む液であってもよい。また、機能水生成部１５０は、陽極板および陰極板を有する電解槽ユニットに限定されるわけではない。
【００２９】
使用者が第２操作部の押圧部１３２を押圧操作することで制御部１４１が電磁弁１４３に信号を送信し電磁弁１４３を開くと、給水源１４５から供給された水道水は、分岐金具１４２および電磁弁１４３を通って機能水生成部１５０に供給される。機能水生成部１５０に供給された水道水は、機能水生成部１５０において機能水１６１として生成され、機能水吐出装置１３０からボウル部１１１に吐出される。
【００３０】
例えば、図３に表したように、機能水吐出装置１３０は、さらに照射部１３３を有する。機能水吐出装置１３０は、例えば使用者が第２操作部の押圧部１３１を操作すると、機能水生成部１５０により生成された機能水１６１を機能水吐水部１３２からボウル部１１１に向けて吐出する。機能水吐出装置１３０は、照射部１３３から光を放出し、機能水吐水部１３２から吐出された機能水１６１に光を照射してもよい。
【００３１】
図５は、本実施形態のボウル部を上から眺めた模式的平面図である。
図６は、図５に表した切断面Ｃ８−Ｃ８における模式的断面図である。
【００３２】
図５〜７に表したように、ボウル部１１１は排水口１１３を有する。ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。
【００３３】
例えば、機能水吐出装置１３０から霧状に吐出された機能水１６１は、排水栓１１２を含む領域に着水する。すなわち、例えば、機能水吐出装置１３０から霧状に吐出された機能水１６１のうちの少なくとも一部は、排水栓１１２に着水する。なお、機能水吐出装置１３０から吐出された機能水１６１が着水する領域は、これだけには限定されない。
【００３４】
図５〜７に表したように、第１吐水部１２１から水道水が吐出されている状態で、第２吐水部１３１から機能水を吐出することが可能であり、さらに、第２吐水部１３１から機能水が吐出されている状態で、第１吐水部から水道水を吐出することが可能である。言い換えると、第１吐水部１２１からの吐水と、第２吐水部１３１からの吐水を同時に行うことができる。ここで、「同時」とは、第１吐水部１２１からの吐水を開始（終了）するタイミングと第２吐水部の吐水を開始（終了）するタイミングが同じであることに限定されず、それらのタイミングがずれていることも含む。すなわち、第１吐水部１２１と第２吐水部１３１の両方から吐水することができれば、吐水の開始のタイミングや終了のタイミングは同じでなくてもよい。
【００３５】
また、図５及び６に表したように、第２吐水部１３１は、正面からみた左右方向において、第１吐水部１２１からずれた位置に配置されている。具体的には、第２吐水部１３１は右側、第１吐水部１２１は左側に配置されている。
【００３６】
これによれば、先の使用者により第１吐水部１２１は使用されているが第２吐水部１３１が使用されていない場合には、他の使用者が第２吐水部１３１を使用することができる。また、先の使用者により第２吐水部１３１は使用されているが、第１吐水部１２１が使用されていない場合には、他の使用者が第１吐水部１２１を使用することができる。よって、他の使用者は先の使用者の使用が終わるのを待つ必要がない。また、バックガード１８０の前面１８１に水栓装置１２０および機能水吐出装置１３０が設けられたとしても、第１吐水部１２１を使用する使用者と、第２吐水部１３１を使用する使用者とが、同じ領域に手や歯ブラシ等の被対象物を差し伸べることを抑制することができる。
したがって、バックガード１８０の前面１８１に水栓装置１２０および機能水吐出装置１３０が設けられたとしても、複数人が同時に使用することができるとともに、使い勝手をよくすることができる。
【００３７】
さらに、本実施形態のように、ボウル部１１１の縁部１１９よりも上方の領域において、第１吐水部１２１からの吐水の吐水範囲Ａ（図５〜７における斜線部分）と第２吐水部１３１からの吐水の吐水範囲Ｂ（図５〜７における網掛部分）とが重複しないことが好ましい。このような洗面化粧台によれば、より確実に第１吐水部１２１を使用する使用者と、第２吐水部１３１を使用する使用者とが、同じ領域に手や歯ブラシ等の被対象物を差し伸べることを抑制することができる。
【００３８】
また、図６及び７に表したように、第２吐水部１３１は、鉛直方向において、第１吐水部１２１よりも下方に配置されている。
【００３９】
これによれば、第２吐水部１３１からの吐水によって機能水を広範囲に吐水することができるとともに、第１吐水部１２１と第２吐水部１３１とを同時に使用する際に、第２吐水部１３１から広範囲に吐水された機能水が第１吐水部１２１を使用する使用者に意図せずかかってしまうことを防止することができる。
【００４０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置１２０および機能水吐出装置１３０などが備える各要素の形状、寸法、材質、配置などや水栓装置１２０および機能水吐出装置１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４１】
１００    洗面化粧台
１１１    ボウル部
１１２    排水栓
１１３    排水口
１１５    表面
１１９    縁部
１２０    水栓装置
１２１    第１吐水部
１２５    第１操作部
１２６    把持部
１３０    機能水吐出装置（第２操作部）
１３１    第２吐水部
１３２    押圧部
１３３    照射部
１４１    制御部
１４２    分岐金具
１４３    開閉弁
１４４    電磁弁
１４５    給水源
１５０    機能水生成部
１５１    陽極
１５２    陰極
１６１    機能水
１６７    水
１８０    バックガード
１８１    前面
１９１    化粧鏡
１９２    キャビネット
【図１】
2017127379.tif 000003
【図２】
2017127379.tif 000004
【図３】
2017127379.tif 000005
【図４】
2017127379.tif 000006
【図５】
2017127379.tif 000007
【図６】
2017127379.tif 000008
【図７】
2017127379.tif 000009